(57)【特許請求の範囲】
【請求項１】
移動し得る中継局装置を自局の配下に有する基地局装置であって、
前記中継局装置から移動先の識別子を含むハンドオーバ制御信号を第１プロトコルに従って受信する処理と、
前記第１プロトコルに従ったハンドオーバ制御信号に含まれる前記移動先の識別子を、自局のセルと隣接関係にある隣接セルに関する情報のリストと照合し、自局と前記移動先との間で前記基地局間コネクションが存在するか否かを判定する処理と、
前記移動先の識別子が前記隣接セルに関する情報のリストに存在する場合、前記移動先との間で前記基地局間コネクションが存在すると判定し、前記第１プロトコルに従ったハンドオーバ制御信号を第２プロトコルに従うハンドオーバ制御信号に変換して、前記変換後のハンドオーバ制御信号を前記第２プロトコルに従って前記基地局間コネクションを経由して前記移動先へ送信する処理と、
前記移動先の識別子が前記隣接セルに関する情報のリストに存在しない場合、前記移動先との間で前記基地局間コネクションが存在しないと判定し、前記第１プロトコルに従うハンドオーバ制御信号を、交換局装置を経由して前記移動先へ送信する処理と、
を実行する制御部を備えることを特徴とする基地局装置。
【請求項２】
前記第１プロトコルはＳ１ＡＰ（Application Protocol）であり、
前記第２プロトコルはＸ２ＡＰ（Application Protocol）であり、
前記制御部は、
前記移動先の識別子が前記隣接セルに関する情報のリストに存在する場合、前記移動先との間で前記基地局間コネクションが存在すると判定し、前記Ｓ１ＡＰに従ったハンドオーバ制御信号を前記Ｘ２ＡＰに従うハンドオーバ制御信号に変換して、前記変換後のハンドオーバ制御信号を前記Ｘ２ＡＰに従って前記基地局間コネクションを経由して前記移動先へ送信する処理と、
前記移動先の識別子が前記隣接セルに関する情報のリストに存在しない場合、前記移動先との間で記基地局間コネクションが存在しないと判定し、前記第Ｓ１ＡＰに従うハンドオーバ制御信号を、交換局装置を経由して前記移動先へ送信する処理と、
を実行することを特徴とする請求項１に記載の基地局装置。
【請求項３】
前記制御部は、前記第２プロトコルに従って前記交換局装置から前記中継局装置へ送信されるパラメータを取得する処理と、
前記中継局装置から受信した前記第２プロトコルに従うハンドオーバ制御信号に前記パラメータを付加することにより、第１プロトコルに従うハンドオーバ制御信号へ変換する処理と、
を実行することを特徴とする請求項１又は２に記載の基地局装置。
【請求項４】
移動し得る中継局装置を自局の配下に有する基地局装置が備える制御部が、
前記中継局装置から移動先の識別子を含むハンドオーバ制御信号を第１プロトコルに従って受信し、
前記第１プロトコルに従ったハンドオーバ制御信号に含まれる前記移動先の識別子を、自局のセルと隣接関係にある隣接セルに関する情報のリストと照合し、自局と前記移動先とで前記基地局間コネクションが存在するか否かを判定し、
前記移動先の識別子が前記隣接セルに関する情報のリストに存在する場合、前記移動先との間で前記基地局間コネクションが存在すると判定し、前記第１プロトコルに従ったハンドオーバ制御信号を第２プロトコルに従うハンドオーバ制御信号に変換して、前記変換後のハンドオーバ制御信号を前記第２プロトコルに従って前記基地局間コネクションを経由して前記移動先へ送信し、
前記移動先の識別子が前記隣接セルに関する情報のリストに存在しない場合、前記移動先との間で前記基地局間コネクションが存在しないと判定し、前記第１プロトコルに従うハンドオーバ制御信号を、交換局装置を経由して前記移動先へ送信する、
ことを特徴とするハンドオーバ制御方法。
【請求項５】
移動し得る中継局装置を自局の配下に有する基地局装置が備える制御部に、
前記中継局装置から移動先の識別子を含むハンドオーバ制御信号を第１プロトコルに従って受信する処理と、
前記第１プロトコルに従ったハンドオーバ制御信号に含まれる前記移動先の識別子を、自局のセルと隣接関係にある隣接セルに関する情報のリストと照合し、自局と前記移動先との間で前記基地局間コネクションが存在するか否かを判定する処理と、
前記移動先の識別子が前記隣接セルに関する情報のリストに存在する場合、前記移動先との間で前記基地局間コネクションが存在すると判定し、前記第１プロトコルに従ったハンドオーバ制御信号を第２プロトコルに従うハンドオーバ制御信号に変換して、前記変換後のハンドオーバ制御信号を前記第２プロトコルに従って前記基地局間コネクションを経由して前記移動先へ送信する処理と、
前記移動先の識別子が前記隣接セルに関する情報のリストに存在しない場合、前記移動先との間で前記基地局間コネクションが存在しないと判定し、前記第１プロトコルに従うハンドオーバ制御信号を、交換局装置を経由して前記移動先へ送信する処理と、
を実行させることを特徴とするコンピュータプログラム。
【発明の詳細な説明】
【技術分野】
【０００１】
本明細書で論じられる実施態様は、移動通信システムにおけるハンドオーバの制御に関する。
【背景技術】
【０００２】
基地局装置と移動局装置との間を中継する移動可能な中継局装置が知られている。このような中継局装置の一例は、３ＧＰＰ（Third Generation Partnership Project）において標準化作業が進められているＬＴＥ(Long Term Evolution)−Ａｄｖａｎｖｅｄ方式の移動通信システムへの導入が検討されているリレーノードである。リレーノードは、基地局装置と移動局装置との間を無線通信で接続し、基地局装置と同様の機能を備える。
【０００３】
基地局装置同士の間や基地局装置と交換局装置との間には、通信コネクションが設定される。例えば、ＬＴＥ方式の移動通信システムでは、基地局装置間を接続する通信コネクションはＸ２インタフェースである。また、基地局装置と交換局装置との間の通信コネクションはＳ１インタフェースである。なお、以下の説明において基地局装置、移動局装置及び交換局装置をそれぞれ「基地局」、「移動局」及び「交換局」と表記することがある。
【０００４】
なお、少なくとも一つのマクロセル基地局と、マクロセル基地局のカバレッジエリア範囲内にある複数のフェムトセル基地局とを備える通信ネットワークを操作する方法が知られている。この方法では、少なくとも一つのマクロセル基地局と複数のフェムトセル基地局との間のシグナリング経路にプロキシを設け、移動性支援及び干渉制御のための一方向シグナリングを、少なくとも一つのマクロセル基地局からプロキシへ提供し、移動性支援及び干渉制御のためのシグナリングを、プロキシと複数のフェムトセル基地局との間に提供する。
【０００５】
また、基地局と、レピータと、無線端末とからなる通信システムが知られている。この通信システムでは、レピータと基地局との相対位置関係が変化する。基地局は、自基地局と通信しているレピータまたは無線端末がハンドオーバを実行する際に参照するハンドオーバ先の候補となる基地局又はレピータの情報を示すネイバーリストを記憶する第１記憶手段と、ネイバーリストに登録されていないレピータと同期を確立した場合に、当該レピータの情報を含ませてネイバーリストを更新する更新手段と、第１記憶手段に記憶されているネイバーリストを自基地局と通信しているレピータ及び無線端末に送信する第１送信手段とを備える。レピータは、無線端末がハンドオーバを実行する際に参照するハンドオーバ先の候補となる基地局及びレピータの情報を示すネイバーリストを記憶する第２記憶手段と、今までの同期を解除し、新たな基地局と同期を確立した場合に、同期を確立した基地局からネイバーリストを取得する取得手段と、第２記憶手段に記憶されているネイバーリストを、取得手段により取得されたネイバーリストに同期を確立した基地局の情報を追加したネイバーリストに置換する置換手段と、第２記憶手段に記憶されているネイバーリストを自レピータと通信している無線端末に送信する第２送信手段とを備える。
【先行技術文献】
【特許文献】
【０００６】
【特許文献１】特開２０１０−４５７８２号公報
【特許文献２】特開２０１０−５６９３４号公報
【発明の概要】
【発明が解決しようとする課題】
【０００７】
中継局は移動する場合がある。このため、中継局同士又は中継局と隣接基地局との間を基地局間の通信コネクションで接続すると、その移動に伴うコネクションの変更処理のために中継局や基地局の処理が増加する。中継局同士又は中継局と隣接基地局との間に基地局間の通信コネクションがなければ、中継局がカバーするセルを移動元又は移動先とするハンドオーバ時に、制御信号は交換局を経由する通信コネクションを介してハンドオーバシーケンスが実施される。この場合には、交換局の処理が増加する。
【０００８】
開示の装置及び方法は、中継局がカバーするセルを移動元又は移動先とするハンドオーバ時の交換局の処理を低減することを目的とする。
【課題を解決するための手段】
【０００９】
装置の一観点によれば、基地局装置が与えられる。基地局装置は、基地局間コネクションを経由してハンドオーバ制御信号を送受信する第１プロトコルに従って、ハンドオーバ制御信号を送受信する処理と、交換局装置を経由してハンドオーバ制御信号を送受信する第２プロトコルに従って、ハンドオーバ制御信号を送受信する処理と、基地局装置に接続する中継局装置との間で送受信される第２プロトコルに従うハンドオーバ制御信号を第１プロトコルに従うハンドオーバ制御信号に変換する処理と、変換されたハンドオーバ制御信号を第１プロトコルに従って送信する処理を実行する制御部を備える。
【００１０】
方法の一観点によれば、ハンドオーバ制御方法が与えられる。ハンドオーバ制御方法は、基地局装置が備える制御部に、基地局間コネクションを経由してハンドオーバ制御信号を送受信する第１プロトコルに従って、ハンドオーバ制御信号を送受信する処理と、交換局装置を経由してハンドオーバ制御信号を送受信する第２プロトコルに従って、ハンドオーバ制御信号を送受信する処理と、基地局装置に接続する中継局装置との間で送受信される第２プロトコルに従うハンドオーバ制御信号を第１プロトコルに従うハンドオーバ制御信号に変換する処理と、変換されたハンドオーバ制御信号を第１プロトコルに従って送信する処理を実行させる。
【００１１】
コンピュータプログラムの一観点によれば、基地局装置が備える制御部に、基地局間コネクションを経由してハンドオーバ制御信号を送受信する第１プロトコルに従って、ハンドオーバ制御信号を送受信する処理と、交換局装置を経由してハンドオーバ制御信号を送受信する第２プロトコルに従って、ハンドオーバ制御信号を送受信する処理と、基地局装置に接続する中継局装置との間で送受信される第２プロトコルに従うハンドオーバ制御信号を第１プロトコルに従うハンドオーバ制御信号に変換する処理と、変換されたハンドオーバ制御信号を第１プロトコルに従って送信する処理を実行させるコンピュータプログラムが与えられる。
【発明の効果】
【００１２】
本件開示の装置又は方法によれば、中継局がカバーするセルを移動元又は移動先とするハンドオーバ時の交換局の処理が低減される。
【図面の簡単な説明】
【００１３】
【図１】通信システムの構成例を示す図である。
【図２】基地局装置のハードウエア構成例を示す図である。
【図３】基地局装置の一例の機能ブロック図である。
【図４】リレーノード装置のハードウエア構成例を示す図である。
【図５】リレーノード装置の一例の機能ブロック図である。
【図６】基地局装置による処理の第１例の説明図である。
【図７】基地局装置による処理の第２例の説明図である。
【図８】ハンドオーバ時における制御信号シーケンスの第１例を示す図である。
【図９】ハンドオーバ時における制御信号シーケンスの第２例を示す図（その１）である。
【図１０】ハンドオーバ時における制御信号シーケンスの第２例を示す図（その２）である。
【発明を実施するための形態】
【００１４】
＜１．通信システムの構成例＞
以下、添付する図面を参照して本発明の実施例について説明する。以下、３ＧＰＰで検討されているＬＴＥ−Ａｄｖａｎｃｅｄ方式の移動通信システムにおける実施例を例にあげて説明を行う。しかし、本明細書において説明されるハンドオーバ方法を適用できる移動通信システムは、ＬＴＥ−Ａｄｖａｎｃｅｄ方式のシステムに限定されない。例えば、本明細書において説明されるハンドオーバ方法が適用される通信システムは、以下に示す条件(1)〜(3)を満たすものであってよい。
(1) 基地局間の通信コネクションが設定されている基地局間におけるハンドオーバが、基地局間の通信コネクションで制御信号をやり取りする第１のシーケンスにしたがって行われる。
(2) 基地局との通信コネクションが設定されていない基地局間におけるハンドオーバは、第１のシーケンスと異なる第２のシーケンスに従って行われる。
(3) 中継局がカバーするセルから他のセルへ移動するハンドオーバの場合、中継局は、第２のシーケンスに従ってハンドオーバを行う。
【００１５】
図１は、通信システムの構成例を示す。通信システム１は、基地局２ａ、２ｂ及び３、移動局４ａ〜４ｃ、リレーノード５ａ及び５ｂを備える。基地局２ａ、２ｂ及び３は、ＩＰ（Internet Protocol）ネットワーク６によって接続されており、基地局２ａと基地局２ｂとの間及び基地局２ａと基地局３との間は、基地局間の通信コネクションであるＸ２インタフェースにより接続されている。
【００１６】
リレーノード５ａ及び５ｂは、それぞれ基地局と同様な機能を備え、基地局と移動局との間を無線通信によって接続する。図示の例では、リレーノード５ａは基地局２ａと移動局４ａとを接続し、リレーノード５ｂは基地局２ｂと移動局４ｂとを接続する。移動局４ａはリレーノード５ａがカバーするセル内に存在し、移動局４ｂはリレーノード５ｂがカバーするセル内に存在する。一方で、移動局４ｃは、基地局３がカバーするセル内に存在する。
【００１７】
基地局２ａ、２ｂ及び３は、コアネットワーク７を介して公衆ネットワークに接続される。コアネットワーク７には、交換局８及びサービングゲートウエイ９が接続されている。以下の説明及び図面において、基地局２ａ及び２ｂを基地局２と総称し、移動局４ａ〜４ｃを移動局４と総称し、リレーノード５ａ及び５ｂをリレーノード５と総称することがある。
【００１８】
添付する図面において、リレーノードと接続する基地局２を「ＤｅＮＢ（Donor eNB）」と表記し、リレーノードと接続しない基地局３を「ｅＮＢ」と表記することがある。移動局４を「ＵＥ」と表記し、リレーノード５を「ＲＮ」と表記することがある。交換局及びサービングゲートウエイをそれぞれ「ＭＭＥ」及び「ＳＧＷ」と表記することがある。
【００１９】
＜２．基地局の実施例＞
＜２．１．基地局のハードウエア構成例＞
続いて、基地局２の実施例を説明する。図２は、基地局２のハードウエア構成例を示す。基地局２は、ＣＰＵ（Central Processing Unit）１０と、補助記憶装置１１及び１４と、メモリ１２及び１５と、ＤＳＰ（Digital Signal Processor）１３と、無線通信回路１６と、ネットワークインタフェース回路１７を備える。添付する図面においてネットワークインタフェース回路を「ＮＩＦ」と表記する。ＣＰＵ１０と、補助記憶装置１１と、メモリ１２と、ＤＳＰ１３は、バス１８によって接続されている。
【００２０】
ＣＰＵ１０は、補助記憶装置１１に格納される制御プログラムに従い、基地局２の制御及び以下に説明するハンドオーバ処理を実行する。補助記憶装置１１には、ＣＰＵ１０により実行される制御プログラムや、この制御プログラムの実行の際に使用されるデータが格納される。補助記憶装置１１は、非揮発性記憶装置や、読み出し専用メモリ（ROM: Read Only Memory）やハードディスクなどを含んでいてもよい。メモリ１２には、ＣＰＵ１０によって現在実行されているプログラムや、このプログラムによって一時的に使用されるデータが記憶される。メモリ１２は、ランダムアクセスメモリ（RAM: Random Access Memory）を含んでいてよい。
【００２１】
ＤＳＰ１３は、補助記憶装置１４に格納される制御プログラムに従い、移動局４又はリレーノード５との間の無線信号の変復調処理、各種プロトコルに従って通信を行うための信号処理を行う。補助記憶装置１４には、ＤＳＰ１３により実行される制御プログラムや、この制御プログラムの実行の際に使用されるデータが格納される。補助記憶装置１４は、非揮発性記憶装置や、読み出し専用メモリやハードディスクなどを含んでいてもよい。メモリ１５には、ＤＳＰ１３によって実行されるプログラムによって一時的に使用されるデータが記憶される。メモリ１５は、ランダムアクセスメモリを含んでいてよい。
【００２２】
無線通信回路１６は、移動局４又はリレーノード５との無線通信のためのインタフェース回路である。ネットワークインタフェース回路１７は、ＩＰネットワーク６を経由する他の基地局２及び３との通信や、さらにコアネットワーク７を経由して交換局８及びサービングゲートウエイ９との通信のための通信インタフェース回路である。
【００２３】
＜２．２．基地局の機能構成例＞
続いて、上記ハードウエア構成によって実現される基地局２の機能について説明する。図３は、基地局２の機能ブロック図である。基地局２は、交換インタフェース部２０と、基地局間インタフェース部２１と、無線インタフェース部２２と、変復調部２３と、無線プロトコル処理部２４と、交換プロトコル処理部２５と、基地局間プロトコル処理部２６と、呼制御部２７を備える。図３は、以下の説明に関係する機能を中心として示している。基地局２は、図示の構成要素以外の他の構成要素を含んでいてよい。
【００２４】
補助記憶装置１１に格納される制御プログラムをＣＰＵ１０が実行することによって、呼制御部２７により行われる処理が実行される。また、補助記憶装置１４に格納される制御プログラムをＤＳＰ１３が実行することによって、変復調部２３、無線プロトコル処理部２４、交換プロトコル処理部２５、及び基地局間プロトコル処理部２６により行われる処理が実行される。交換インタフェース部２０及び基地局間インタフェース部２１により行われる信号処理は、ネットワークインタフェース回路１７により実行される。無線インタフェース部２２により行われる信号処理は、無線通信回路１６によって行われる。
【００２５】
交換インタフェース部２０は、交換局８との間で伝送路を介して信号を送受信する。基地局間インタフェース部２１は、他の基地局２及び３との間で伝送路を介して信号を送受信する。
【００２６】
無線インタフェース部２２は、リレーノード５との間、及びリレーノード５に接続しない移動局４との間で無線信号を送受信する。変復調部２３は、リレーノード５との間、及び移動局４との間の通信データの変調・復調を行う。
【００２７】
無線プロトコル処理部２４は、リレーノード５との間の無線プロトコルに従う通信処理を行う。なお無線プロトコル処理部２４は、移動局４と間の無線プロトコルに従う通信処理を行う。交換プロトコル処理部２５は、交換局８との間の通信コネクション上において実施されるプロトコルに従う通信処理を行う。基地局間プロトコル処理部２６は、基地局間の通信コネクション上において実施されるプロトコルに従う通信処理を行う。交換局８との間の通信コネクションは、例えばＳ１インタフェースであり、その上において実施されるプロトコルは、例えばＳ１ＡＰ（Application Protocol）である。基地局間の通信コネクションは、例えばＸ２インタフェースであり、その上において実施されるプロトコルは、例えばＸ２ＡＰである。
【００２８】
呼制御部２７は、呼処理シーケンスに応じた制御信号を各プロトコル処理部２４〜２６から受信し、及び呼処理シーケンスに応じて制御信号を生成し、各プロトコル処理部２４〜２６へ送信する。呼制御部２７は、基地局２がカバーするセルを移動元セル及び移動先セルとするハンドオーバを制御するシーケンスを実行する。
【００２９】
リレーノード５がカバーするセルから他の基地局２又は３がカバーするセルへ移動局４が移動するハンドオーバの際に、リレーノード５は、Ｓ１ＡＰに従うハンドオーバシーケンスを実行する。また、基地局２は、管轄セルから移動する移動局４の移動先セルをカバーする他の基地局と基地局２との間を接続するＸ２インタフェースがある場合には、Ｘ２ＡＰに従うハンドオーバシーケンスを実行する。以下の説明においてＳ１ＡＰに従うハンドオーバシーケンスを「Ｓ１  ＨＯシーケンス」と表記することがある。また、Ｘ２ＡＰに従うハンドオーバシーケンスを「Ｘ２  ＨＯシーケンス」と表記することがある。
【００３０】
以下の説明では、基地局２と接続するリレーノード５がカバーするセルを移動元セルとするハンドオーバにおいて、移動先セルをカバーする基地局、又は移動先セルをカバーするリレーノードが接続する他の基地局のことを「移動先基地局」と表記することがある。呼制御部２７は、移動先基地局と基地局２との間を接続するＸ２インタフェースがあるか否かを判断する。
【００３１】
移動先基地局と基地局２との間にＸ２インタフェースがある場合には、呼制御部２７は、リレーノード５から受信したＳ１  ＨＯシーケンスに従う制御信号を、Ｘ２  ＨＯシーケンスに従う制御信号に変換して移動先基地局へ送信する。また、移動先基地局から受信したＸ２  ＨＯシーケンスに従う制御信号を、Ｓ１  ＨＯシーケンスに従う制御信号に変換してリレーノード５へ送信する。
【００３２】
また、呼制御部２７は、他の基地局から受信されるＸ２  ＨＯシーケンスに従う制御信号が、基地局２に接続するリレーノード５がカバーするセルを移動先セルとするハンドオーバシーケンスの制御信号であるか否かを判定する。受信した制御信号がリレーノード５のセルへのハンドオーバシーケンスの制御信号である場合には、呼制御部２７は、受信した制御信号をＳ１  ＨＯシーケンスに従う制御信号に変換してリレーノード５へ送信する。また呼制御部２７は、リレーノード５から受信したＳ１  ＨＯシーケンスに従う制御信号を、Ｘ２  ＨＯシーケンスに従う制御信号に変換して上記の他の基地局へ送信する。
【００３３】
呼制御部２７は、パラメータ取得部３０と、判定部３１と、変換部３２を備える。パラメータ取得部３０は、基地局２と接続するリレーノード５と交換局８との間の通信コネクションの確立時に、交換局８からリレーノード５へ送信されるメッセージによって通知されるパラメータを取得する。パラメータ取得部３０は、取得したパラメータをメモリ１２又は補助記憶装置１１に格納する。このパラメータは、Ｓ１  ＨＯシーケンスに従う制御信号とＸ２  ＨＯシーケンスに従う制御信号との間の変換処理に使用される。
【００３４】
判定部３１は、移動先基地局と基地局２との間を接続するＸ２インタフェースがあるか否かを判定する。例えば、判定部３１は、Ｓ１  ＨＯシーケンスに従う制御信号から移動先セルの識別子を取得する。基地局２は、各基地局がカバーするセルに隣接する隣接セルの識別子と、隣接セルをカバーする基地局又はリレーノードの識別子とを対応付けて記憶する基地局リスト情報２８を、補助記憶装置４１内に格納している。基地局リスト情報２８には、Ｘ２インタフェースで接続される基地局２のリストも含まれている。判定部３１は、取得した移動先セル識別子と基地局リスト情報２８から移動先基地局を判断し、移動先基地局と基地局２との間を接続するＸ２インタフェースがあるか否かを判定してよい。
【００３５】
移動先基地局と基地局２との間を接続するＸ２インタフェースがある場合に、変換部３２は、リレーノード５と送受信するＳ１  ＨＯシーケンスに従う制御信号と、移動先基地局と送受信するＸ２  ＨＯシーケンスに従う制御信号と間の変換処理を行う。変換部３２は、必要に応じて、パラメータ取得部３０が取得したパラメータを受信した制御信号に加えて変換処理を行う。
【００３６】
また、判定部３１は、他の基地局から受信されるＸ２  ＨＯシーケンスに従う制御信号が、リレーノード５がカバーするセルへ移動局４が移動するハンドオーバシーケンスの制御信号であるか否かを判定する。リレーノード５がカバーするセルへのハンドオーバシーケンスの制御信号がＸ２  ＨＯシーケンスに従って受信される場合にも、変換部３２は、Ｓ１  ＨＯシーケンスに従う制御信号とＸ２  ＨＯシーケンスとの間の変換処理を行う。
【００３７】
＜３．リレーノードの実施例＞
＜３．１．リレーノードのハードウエア構成例＞
図４は、リレーノード５のハードウエア構成例を示す。リレーノード５は、ＣＰＵ４０と、補助記憶装置４１及び４４と、メモリ４２及び４５と、ＤＳＰ４３と、無線通信回路１６及び１７を備える。ＣＰＵ４０と、補助記憶装置４１と、メモリ４２と、ＤＳＰ４３は、バス４８によって接続されている。
【００３８】
ＣＰＵ４０は、補助記憶装置４１に格納される制御プログラムに従い、リレーノード５の制御及び以下に説明するハンドオーバ処理を実行する。補助記憶装置４１には、ＣＰＵ４０により実行される制御プログラムや、この制御プログラムの実行の際に使用されるデータが格納される。補助記憶装置４１は、読み出し専用メモリやハードディスクなどを含んでいてもよい。メモリ４２には、ＣＰＵ４０によって現在実行されているプログラムや、このプログラムによって一時的に使用されるデータが記憶される。メモリ４２は、ランダムアクセスメモリを含んでいてよい。
【００３９】
ＤＳＰ４３は、補助記憶装置４４に格納される制御プログラムに従い、移動局４又は基地局２との間の無線信号の変復調処理、各種プロトコルに従って通信を行うための信号処理を行う。補助記憶装置４４には、ＤＳＰ４３により実行される制御プログラムや、この制御プログラムの実行の際に使用されるデータが格納される。補助記憶装置４４は、非揮発性記憶装置や、読み出し専用メモリやハードディスクなどを含んでいてもよい。メモリ４５には、ＤＳＰ４３によって実行されるプログラムによって一時的に使用されるデータが記憶される。メモリ４５は、ランダムアクセスメモリを含んでいてよい。
【００４０】
無線通信回路４６は、移動局４との無線通信のためのインタフェース回路である。無線通信回路４７は、基地局２との無線通信のためのインタフェース回路である。
【００４１】
＜３．２．リレーノードの機能構成例＞
図５は、リレーノード５の機能ブロック図である。リレーノード５は、無線インタフェース部５０及び５１と、変復調部５２及び５３と、無線プロトコル処理部５４及び５５と、交換プロトコル処理部５６と、呼制御部５７を備える。図５は、以下の説明に関係する機能を中心として示している。リレーノード５は、図示の構成要素以外の他の構成要素を含んでいてよい。
【００４２】
補助記憶装置４１に格納される制御プログラムをＣＰＵ４０が実行することによって、呼制御部５７により行われる処理が実行される。また、補助記憶装置４４に格納される制御プログラムをＤＳＰ４３が実行することによって、変復調部５２及び５３、無線プロトコル処理部５４及び５５、及び交換プロトコル処理部５６により行われる処理が実行される。無線インタフェース部５０及び５１により行われる信号処理は、無線通信回路４６及び４７によって行われる。
【００４３】
無線インタフェース部５０は、移動局４との間で無線信号を送受信する。無線インタフェース部５１は、基地局２との間で無線信号を送受信する。変復調部５３及び５３は、リレーノード５と移動局４の間、及びリレーノード５と基地局２の間の通信データの変調・復調を行う。無線プロトコル処理部５４及び５５は、リレーノード５と移動局４の間、及びリレーノード５と基地局２の間の無線プロトコルに従う通信処理を行う。交換プロトコル処理部５６は、交換局８との間の通信コネクション上において実施されるプロトコル、例えばＳ１ＡＰに従う通信処理を行う。
【００４４】
呼制御部５７は、呼処理シーケンスに応じた制御信号を各プロトコル処理部５４〜５６から受信し、及び呼処理シーケンスに応じて制御信号を生成し、各プロトコル処理部５４〜５６へ送信する。呼制御部５７は、リレーノード５がカバーするセルを移動元セル又は移動先セルとするハンドオーバを制御するＳ１  ＨＯシーケンスを実行する。
【００４５】
＜４．基地局の処理＞
＜４．１．基地局の処理の第１例＞
続いて、基地局２の処理について説明する。図６は、リレーノード５ａがカバーするセルを移動元セルとするハンドオーバにおける基地局２ａの処理の一例を示す。なお、以下、図６〜図１０を参照して説明する一連の処理は複数の手順を含む方法と解釈してよい。この場合に「オペレーション」を「ステップ」と読み替えてもよい。
【００４６】
オペレーションＡＡにおいて、リレーノード５ａと交換局８との間の呼接続処理が実行される。すなわちリレーノード５ａと交換局８との間の通信コネクションが確立され、この間、基地局２ａは、リレーノード５ａと交換局８との間の制御信号を転送する。
【００４７】
オペレーションＡＢにおいてパラメータ取得部３０は、リレーノード５ａと交換局８との間の通信コネクションの呼接続処理の間に、交換局８からリレーノード５ａへ送信されるメッセージによって通知されるパラメータを取得する。
【００４８】
オペレーションＡＣにおいて呼制御部２７は、リレーノード５ａがカバーするセルを移動元セルとするハンドオーバが開始するか否かを判定する。呼制御部２７は、リレーノード５ａから受信するＳ１  ＨＯシーケンスに従うハンドオーバ要求信号を受信することによりハンドオーバの開始を検出してよい。ハンドオーバが発生しない場合には（オペレーションＡＣ：Ｎ）処理はオペレーションＡＣへ戻る。ハンドオーバが発生した場合には（オペレーションＡＣ：Ｙ）処理はオペレーションＡＤへ進む。
【００４９】
オペレーションＡＤにおいて判定部３１は、移動先基地局と基地局２との間を接続するＸ２インタフェースがあるか否かを判定する。Ｘ２インタフェースがある場合には（オペレーションＡＤ：Ｙ）処理はオペレーションＡＦに進む。Ｘ２インタフェースがない場合には（オペレーションＡＤ：Ｎ）処理はオペレーションＡＥに進む。オペレーションＡＥにおいて呼制御部２７は、リレーノード５ａから受信するＳ１  ＨＯシーケンスに従うハンドオーバ要求信号を交換局８へ転送する。また呼制御部２７は、交換局８から受信するＳ１  ＨＯシーケンスに従うハンドオーバ要求信号をリレーノード５ａへ転送する。その後処理を終了する。
【００５０】
オペレーションＡＦにおいて呼制御部２７は、Ｓ１  ＨＯシーケンスに従うハンドオーバ制御信号をリレーノード５ａから受信する。又は呼制御部２７は、Ｘ２  ＨＯシーケンスに従うハンドオーバ制御信号を移動先基地局から受信する。オペレーションＡＧにおいて変換部３２は、受信されたＳ１  ＨＯシーケンスに従うハンドオーバ制御信号を、Ｘ２  ＨＯシーケンスに従うハンドオーバ制御信号に変換する。又は変換部３２は、受信されたＸ２  ＨＯシーケンスに従うハンドオーバ制御信号を、Ｓ１  ＨＯシーケンスに従うハンドオーバ制御信号に変換する。
【００５１】
オペレーションＡＨにおいて基地局間プロトコル処理部２６は、Ｘ２  ＨＯシーケンス信号に変換されたハンドオーバ制御信号を移動先基地局へ送信する。又は無線プロトコル処理部２４は、Ｓ１  ＨＯシーケンス信号に変換されたハンドオーバ制御信号をリレーノード５ａへ送信する。オペレーションＡＩにおいて呼制御部２７は、ハンドオーバシーケンスが完了したか否かを判断する。ハンドオーバシーケンスが完了した場合には（オペレーションＡＩ：Ｙ）処理は終了する。ハンドオーバシーケンスが完了していない場合には（オペレーションＡＩ：Ｎ）処理はオペレーションＡＦへ戻る。
【００５２】
＜４．２．基地局の処理の第２例＞
次に、移動先基地局の処理の第２例を説明する。図７は、基地局２ｂがカバーするセル、又はリレーノード５ｂがカバーするセルを移動先セルとするハンドオーバにおける基地局２ｂの処理の一例を示す。オペレーションＢＡにおいてリレーノード５ｂと交換局８との間の呼接続処理が実行される。オペレーションＢＢにおいてパラメータ取得部３０は、交換局８からリレーノード５ｂへ送信されるメッセージによって通知されるパラメータを取得する。
【００５３】
オペレーションＢＣにおいて呼制御部２７は、基地局２ｂがカバーするセル、又は基地局２ｂに接続するリレーノード５ｂがカバーするセルを移動先セルとするハンドオーバが開始するか否かを判定する。呼制御部２７は、隣接基地局２又は交換局８からハンドオーバ要求信号を受信することによりハンドオーバの開始を検出してよい。ハンドオーバが発生しない場合には（オペレーションＢＣ：Ｎ）処理はオペレーションＢＣへ戻る。ハンドオーバが発生した場合には（オペレーションＢＣ：Ｙ）処理はオペレーションＢＤへ進む。
【００５４】
オペレーションＢＤにおいて判定部３１は、移動先セルがリレーノード５ｂによりカバーされるセルであるか否かを判定する。移動先セルがリレーノード５ｂによりカバーされるセルでない場合には（オペレーションＢＤ：Ｎ）処理はオペレーションＢＥへ進む。移動先セルがリレーノード５ｂによりカバーされるセルである場合には（オペレーションＢＤ：Ｙ）処理はオペレーションＢＦへ進む。オペレーションＢＥにおいて呼制御部２７は、基地局２ｂがカバーするセルを移動先セルとするハンドオーバシーケンスを実行する。その後に処理を終了する。
【００５５】
オペレーションＢＦにおいて判定部３１は、受信したハンドオーバ制御信号が、他の基地局２からＸ２インタフェースを経由して受信したＸ２  ＨＯシーケンスに従う信号であるか否かを判断する。受信したハンドオーバ制御信号がＸ２  ＨＯシーケンスに従わない場合には（オペレーションＢＦ：Ｎ）処理はオペレーションＢＧへ進む。受信したハンドオーバ制御信号がＸ２  ＨＯシーケンスに従う場合には（オペレーションＢＦ：Ｙ）処理はオペレーションＢＨへ進む。なお、オペレーションＢＤの判定とオペレーションＢＦの判定はいずれを先に実行してもよい。
【００５６】
オペレーションＢＧにおいて、呼制御部２７は、交換局８から受信するＳ１  ＨＯシーケンスに従うハンドオーバ要求信号をリレーノード５ａへ転送する。また呼制御部２７は、リレーノード５ａから受信するＳ１  ＨＯシーケンスに従うハンドオーバ要求信号を交換局８へ転送する。その後処理を終了する。
【００５７】
オペレーションＢＨ〜ＢＫの処理の説明は、図６のオペレーションＡＦ〜ＡＩの処理の説明と同様である。
【００５８】
＜５．ハンドオーバ時の制御信号シーケンスの第１例＞
＜５．１  信号シーケンス＞
続いて、ハンドオーバ時における制御信号シーケンスの例を説明する。図８は、ハンドオーバ時における制御信号シーケンスの第１例を示す。このハンドオーバにおいて移動局４ａは、基地局２ａに接続するリレーノード５ａがカバーするセルから基地局３がカバーするセルへ移動する。なお、以下の説明及び図面においてＳ１  ＨＯシーケンス及びＸ２  ＨＯシーケンスに従う制御信号の名称に対して「S1 AP:」及び「X2 AP:」を付加する。
【００５９】
オペレーションＣＡにおいて移動局４ａは、「Mesurement Report」をリレーノード５ａへ送信する。オペレーションＣＢにおいてリレーノード５ａは、「S1 AP: HANDOVER REQUIRED」を基地局２ａへ送信する。オペレーションＣＣにおいて基地局２ａは、「S1 AP: HANDOVER REQUIRED」を「X2 AP: HANDOVER REQUEST」へ変換し、「X2 AP: HANDOVER REQUEST」を基地局３へ送信する。
【００６０】
オペレーションＣＤにおいて基地局３は、「X2 AP: HANDOVER REQUEST ACKNOWLEGE」を基地局２ａへ送信する。オペレーションＣＥにおいて基地局２ａは、「X2 AP: HANDOVER REQUEST ACKNOWLEGE」を「S1 AP: HANDOVER  COMMAND」へ変換し、「S1 AP: HANDOVER  COMMAND」をリレーノード５ａへ送信する。
【００６１】
オペレーションＣＦにおいてリレーノード５ａは、「RRC conection reconfiguration」を移動局４ａへ送信する。オペレーションＣＧにおいてリレーノード５ａは、「S1 AP: eNB STATUS TRANSFER」を基地局２ａへ送信する。オペレーションＣＨにおいて基地局２ａは、「S1 AP: eNB STATUS TRANSFER」を「X2 AP: SN STATUS TRANSFER」へ変換し、「X2 AP: SN STATUS TRANSFER」を基地局３へ送信する。
【００６２】
オペレーションＣＩにおいて移動局４ａは、「RRC conection reconfiguration complete」を交換局８へ送信する。オペレーションＣＪにおいて基地局３は、「S1 AP: PATH SWITCH REQUEST」を交換局８へ送信する。オペレーションＣＫにおいて交換局８は、「S1 AP: PATH SWITCH REQUEST ACKNOWLEGE」を基地局３へ送信する。オペレーションＣＬにおいて基地局３は、「X2 AP: CONTEXT RELEASE」を基地局２ａへ送信する。
【００６３】
オペレーションＣＭにおいて基地局２ａは、「X2 AP: CONTEXT RELEASE」を「S1 AP: UE CONTEXT RELEASE COMMAND」へ変換し、「S1 AP: UE CONTEXT RELEASE COMMAND」をリレーノード５ａへ送信する。オペレーションＣＮにおいてリレーノード５ａは、「S1 AP: UE CONTEXT RELEASE COMPLETE」を基地局２ａへ送信する。
【００６４】
＜５．２  各制御信号の情報要素＞
続いて、図８に示す各制御信号に含まれる情報要素について説明する。ここでは、基地局２ａによる制御信号の変換に関連する制御信号のみについて説明する。「S1 AP: HANDOVER REQUIRED」の情報要素を表１に示す。「S1 AP: HANDOVER REQUIRED」は、情報要素「Message Type」、「MME UE S1AP ID」、「eNB UE S1AP ID」、「Handover Type」、「Cause」、「Target ID」及び「Source to Target Transparent Container」を含む。
【００６５】
【表１】
0005807487.tif 000002
【００６６】
「X2 AP: HANDOVER REQUEST」の情報要素を表２に示す。「X2 AP: HANDOVER REQUEST」は、情報要素「Message Type」、「Old eNB UE X2AP ID」、「Cause」、「Target Cell ID」、「GUMMEI」、「UE Context Information」及び「UE History Information」を含む。情報要素「UE Context Information」は、情報要素「MME UE S1AP ID」、「UE Security Capabilities」、「AS Security Information」、「UE Aggregate Maximum Bit Rate」、「E-RABs To Be Setup List」及び「RRC Context」を含む。情報要素「E-RABs To Be Setup List」は、情報要素「E-RABs To Be Setup Item」を含む。情報要素「E-RABs To Be Setup Item」は、情報要素「E-RAB ID」、「E-RAB Level QoS Parameters」及び「UL GTP Tunnel Endpoint」を含む。
【００６７】
【表２】
0005807487.tif 000003
【００６８】
「X2 AP: HANDOVER REQUEST ACKNOWLEGE」の情報要素を表３に示す。「X2 AP: HANDOVER REQUEST ACKNOWLEGE」は、情報要素「Message Type」、「Old eNB UE X2AP ID」、「New eNB UE X2AP ID」、「E-RABs Admitted List」及び「Target eNB To Source eNB Transparent Container」を含む。情報要素「E-RABs Admitted List」は、情報要素「E-RABs Admitted Item」を含む。情報要素「E-RABs Admitted Item」は、情報要素「E-RAB ID」を含む。
【００６９】
【表３】
0005807487.tif 000004
【００７０】
「S1 AP: HANDOVER  COMMAND」の情報要素を表４に示す。「S1 AP: HANDOVER  COMMAND」は、情報要素「Message Type」、「MME UE S1AP ID」、「eNB UE S1AP ID」、「Handover Type」、「E-RABs Subject to Forwarding List」及び「Target to Source Transparent Container」を含む。情報要素「E-RABs Subject to Forwarding List」は、「E-RABs Subject to Forwarding Item IEs」を含む。情報要素「E-RABs Subject to Forwarding Item IEs」は、及び「E-RAB ID」を含む。
【００７１】
【表４】
0005807487.tif 000005
【００７２】
「S1 AP: eNB STATUS TRANSFER」の情報要素を表５に示す。「S1 AP: eNB STATUS TRANSFER」は、情報要素「Message Type」、「MME UE S1AP ID」、「eNB UE S1AP ID」及び「eNB Status Transfer Transparent Container」を含む。
【００７３】
【表５】
0005807487.tif 000006
【００７４】
「X2 AP: SN STATUS TRANSFER」の情報要素を表６に示す。「X2 AP: SN STATUS TRANSFER」は、情報要素「Message Type」、「Old eNB UE X2AP ID」、「New eNB UE X2AP ID」及び「E-RABs Subject To Status Transfer List」を含む。情報要素「E-RABs Subject To Status Transfer List」は、「E-RABs Subject To Status Transfer Item」を含む。情報要素「E-RABs Subject To Status Transfer Item」は、「E-RAB ID」、「UL COUNT Value」及び「DL COUNT Value」を含む。
【００７５】
【表６】
0005807487.tif 000007
【００７６】
「X2 AP: CONTEXT RELEASE」の情報要素を表７に示す。「X2 AP: CONTEXT RELEASE」は、情報要素「Message Type」、「Old eNB UE X2AP ID」及び「New eNB UE X2AP ID」を含む。
【００７７】
【表７】
0005807487.tif 000008
【００７８】
「S1 AP: UE CONTEXT RELEASE COMMAND」の情報要素を表８に示す。「S1 AP: UE CONTEXT RELEASE COMMAND」は、情報要素「Message Type」、「CHOICE UE S1AP IDs」及び「Cause」を含む。情報要素「CHOICE UE S1AP IDs」は、「UE S1AP ID pair」及び「MME UE S1AP ID」を含む。
【００７９】
【表８】
0005807487.tif 000009
【００８０】
＜５．３  制御信号の変換処理例＞
続いて、基地局２ａによる制御信号の変換処理の例を説明する。以下の説明において変換後の各制御信号のそれぞれの情報要素の取得元となる情報を示す。なお、いずれの制御信号にも含まれる情報要素「Message Type」は固定値であるので言及を省略する。
【００８１】
＜５．３．１  「S1 AP: HANDOVER REQUIRED」から「X2 AP: HANDOVER REQUEST」への変換＞
以下、「X2 AP: HANDOVER REQUEST」の情報要素毎に説明する。
(1) 「Old eNB UE X2AP ID」：「S1 AP: HANDOVER REQUIRED」の情報要素「eNB UE S1AP ID」。
(2) 「Cause」：「S1 AP: HANDOVER REQUIRED」の情報要素「Cause」。
(3) 「Target Cell ID」：「S1 AP: HANDOVER REQUIRED」の情報要素「Target ID」。
(4) 「GUMMEI」：基地局２ａが接続する交換局８の識別子。
(5) 「MME UE S1AP ID」：「S1 AP: HANDOVER REQUIRED」の情報要素「MME UE S1AP ID」。
【００８２】
(6) 「UE Security Capabilities」：「S1 AP: INITIAL CONTEXT SETUP REQUEST」にて通知されるパラメータ。「S1 AP: INITIAL CONTEXT SETUP REQUEST」は、呼接続時、すなわちリレーノード５と交換局８との間の通信コネクションの確立時に、交換局８からリレーノード５へ送信される。パラメータ取得部３０は、基地局２ａが「S1 AP: INITIAL CONTEXT SETUP REQUEST」を中継する際に、この信号に含まれるパラメータを抽出し、移動局４の識別子と対応付けてメモリ１２又は補助記憶装置１１に格納する。変換部３２は、「S1 AP: HANDOVER REQUIRED」に含まれる移動局４の識別子に基づいて検索することにより、このパラメータを利用することができる。
【００８３】
(7) 「AS Security Information」：「S1 AP: INITIAL CONTEXT SETUP REQUEST」の「Security Key」。
(8) 「UE Aggregate Maximum Bit Rate」：「S1 AP: E-RAB SETUP REQUEST」及び「S1 AP: INITIAL CONTEXT SETUP REQUEST」にて通知されるパラメータ。「S1 AP: E-RAB SETUP REQUEST」は、呼接続時に、交換局８からリレーノード５へ送信される。パラメータ取得部３０は、基地局２ａが「S1 AP: E-RAB SETUP REQUEST」を中継する際に、この信号に含まれるパラメータを抽出し、移動局４の識別子と対応付けてメモリ１２又は補助記憶装置１１に格納する。変換部３２は、「S1 AP: HANDOVER REQUIRED」に含まれる移動局４の識別子に基づいて検索することにより、このパラメータを利用することができる。
【００８４】
(9) 「E-RAB ID」：「S1 AP: E-RAB SETUP REQUEST」及び「S1 AP: INITIAL CONTEXT SETUP REQUEST」にて通知されるパラメータ。
(10) 「E-RAB Level QoS Parameters」：「S1 AP: E-RAB SETUP REQUEST」及び「S1 AP: INITIAL CONTEXT SETUP REQUEST」にて通知されるパラメータ。
(11) 「UL GTP Tunnel Endpoint」：「S1 AP: E-RAB SETUP REQUEST」及び「S1 AP: INITIAL CONTEXT SETUP REQUEST」にて通知されるパラメータ。
【００８５】
(12) 「RRC Context」：「S1 AP: HANDOVER REQUIRED」の情報要素「Source to Target Transparent Container」から抽出される。
(13) 「UE History Information」：「S1 AP: HANDOVER REQUIRED」の情報要素「Source to Target Transparent Container」から抽出される。
【００８６】
＜５．３．２  「X2 AP: HANDOVER REQUEST ACKNOWLEDGE」から「S1 AP: HANDOVER  COMMAND」への変換＞
以下、「S1 AP: HANDOVER  COMMAND」の情報要素毎に説明する。
(1) 「MME UE S1AP ID」: 「S1 AP: HANDOVER REQUIRED」の情報要素「MME UE S1AP ID」。
(2) 「eNB UE S1AP ID」: 「X2 AP: HANDOVER REQUEST ACKNOWLEDGE」の情報要素「New eNB UE X2AP ID」。
(3) 「Handover Type」:ハンドオーバ前後のセルの通信方式を示す指定値が指定される。
(4) 「E-RABs Subject to Forwarding List」: 「X2 AP: HANDOVER REQUEST ACKNOWLEDGE」の情報要素「E-RABs Admitted List」。
(5) 「Target to Source Transparent Container」: 「X2 AP: HANDOVER REQUEST ACKNOWLEDGE」の情報要素「Target eNB To Source eNB Transparent Container」から抽出される。
【００８７】
＜５．３．３  「S1 AP: eNB STATUS TRANSFER」から「X2 AP: SN STATUS TRANSFER」への変換＞
以下、「X2 AP: SN STATUS TRANSFER」の情報要素毎に説明する。
(1) 「Old eNB UE X2AP ID」:「S1 AP: eNB STATUS TRANSFER」の情報要素「eNB UE S1AP ID」。
(2) 「New eNB UE X2AP ID」：「X2 AP: HANDOVER REQUEST ACKNOWLEDGE」の情報要素「New eNB UE X2AP ID」。
(3) 「E-RABs Subject To Status Transfer List」：「S1 AP: eNB STATUS TRANSFER」の情報要素「eNB Status Transfer Transparent Container」から抽出される。
【００８８】
＜５．３．４  「X2 AP: CONTEXT RELEASE」から「S1 AP: UE CONTEXT RELEASE COMMAND」への変換＞
以下、「X2 AP: S1 AP: UE CONTEXT RELEASE COMMAND」の情報要素毎に説明する。
(1) 「UE S1AP ID pair」：「S1 AP: HANDOVER REQUIRED」の情報要素「MME UE S1AP ID」及び「X2 AP: CONTEXT RELEASE」の情報要素「Old eNB UE X2AP ID」。
(2) 「MME UE S1AP ID」：「S1 AP: HANDOVER REQUIRED」の情報要素「MME UE S1AP ID」。
(3) 「Cause」：ハンドオーバに伴う解放を示す指定値が指定される。
【００８９】
＜６．ハンドオーバ時の制御信号シーケンスの第２例＞
＜６．１  信号シーケンス＞
図９及び図１０は、ハンドオーバ時における制御信号シーケンスの第２例を示す。このハンドオーバにおいて移動局４ａは、基地局２ａに接続するリレーノード５ａがカバーするセルから、基地局２ｂに接続するリレーノード５ｂがカバーするセルへ移動する。
【００９０】
オペレーションＤＡにおいて移動局４ａは、「Mesurement Report」をリレーノード５ａへ送信する。オペレーションＤＢにおいてリレーノード５ａは、「S1 AP: HANDOVER REQUIRED」を基地局２ａへ送信する。オペレーションＤＣにおいて基地局２ａは、「S1 AP: HANDOVER REQUIRED」を「X2 AP: HANDOVER REQUEST」へ変換し、「X2 AP: HANDOVER REQUEST」を基地局２ｂへ送信する。
【００９１】
オペレーションＤＤにおいて基地局２ｂは、「X2 AP: HANDOVER REQUEST」を「S1 AP: HANDOVER REQUEST」へ変換し、「S1 AP: HANDOVER REQUEST」をリレーノード５ｂへ送信する。オペレーションＤＥにおいてリレーノード５ｂは、「S1 AP: HANDOVER REQUEST ACKNOWLEGE」を基地局２ｂへ送信する。
【００９２】
オペレーションＤＦにおいて基地局２ｂは、「S1 AP: HANDOVER REQUEST ACKNOWLEGE」を「X2 AP: HANDOVER REQUEST ACKNOWLEGE」へ変換し、「X2 AP: HANDOVER REQUEST ACKNOWLEGE」を基地局２ａへ送信する。オペレーションＤＧにおいて基地局２ａは、「X2 AP: HANDOVER REQUEST ACKNOWLEGE」を「S1 AP: HANDOVER  COMMAND」へ変換し、「S1 AP: HANDOVER  COMMAND」をリレーノード５ａへ送信する。
【００９３】
オペレーションＤＨにおいてリレーノード５ｂは、「RRC conection reconfiguration」を移動局４ａへ送信する。オペレーションＤＩにおいてリレーノード５ａは、「S1 AP: eNB STATUS TRANSFER」を基地局２ａへ送信する。オペレーションＤＪにおいて基地局２ａは、「S1 AP: eNB STATUS TRANSFER」を「X2 AP: SN STATUS TRANSFER」へ変換し、「X2 AP: SN STATUS TRANSFER」を基地局２ｂへ送信する。
オペレーションＤＫにおいて基地局２ｂは、「X2 AP: SN STATUS TRANSFER」を「S1 AP: MME STATUS TRANSFER」に変換し、「S1 AP: MME STATUS TRANSFER」をリレーノード５ｂへ送信する。オペレーションＤＬにおいて移動局４ａは、「RRC conection reconfiguration complete」を交換局８へ送信する。
【００９４】
オペレーションＤＭにおいてリレーノード５ｂは、「S1 AP: HANDOVER NOTIFY」を基地局２ｂへ送信する。オペレーションＤＮにおいて基地局２ｂは、「S1 AP: PATH SWITCH REQUEST」を交換局８へ送信する。オペレーションＤＯにおいて交換局８は、「S1 AP: PATH SWITCH REQUEST ACKNOWLEGE」を基地局２ｂへ送信する。
【００９５】
オペレーションＤＰにおいて基地局２ｂは、「X2 AP: CONTEXT RELEASE」を基地局２ａへ送信する。オペレーションＤＱにおいて基地局２ａは、「X2 AP: CONTEXT RELEASE」を「S1 AP: UE CONTEXT RELEASE COMMAND」へ変換し、「S1 AP: UE CONTEXT RELEASE COMMAND」をリレーノード５ａへ送信する。オペレーションＤＲにおいてリレーノード５ａは、「S1 AP: UE CONTEXT RELEASE COMPLETE」を基地局２ａへ送信する。
【００９６】
＜６．２  各制御信号の情報要素＞
続いて、図９及び図１０に示す各制御信号に含まれる情報要素について説明する。上記「６．２  各制御信号の情報要素」と同様に、基地局２による制御信号の変換に関連する制御信号のみについて説明する。また、上記「６．２  各制御信号の情報要素」で既に説明した制御信号については重複説明を省略する。
【００９７】
「S1 AP: HANDOVER REQUEST」の情報要素を表９に示す。「S1 AP: HANDOVER REQUEST」は、情報要素「Message Type」、「MME UE S1AP ID」、「Handover Type」、「Cause」、「UE Aggregate Maximum Bit Rate」、「E-RABs To Be Setup List」を含む。また「S1 AP: HANDOVER REQUEST」は、「Source to Target Transparent Container」、「UE Security Capabilities」及び「Security Context」を含む。情報要素「E-RABs To Be Setup List」は、「E-RABs To Be Setup Item IEs」を含む。情報要素「E-RABs To Be Setup Item IEs」は、「E-RAB ID」、「Transport Layer Address」、「GTP-TEID」及び「E-RAB Level QoS Parameters」を含む。
【表９】
0005807487.tif 000010
「X2 AP: HANDOVER REQUEST ACKNOWLEDGE」の情報要素を表１０に示す。「X2 AP: HANDOVER REQUEST ACKNOWLEDGE」は、情報要素「Message Type」、「MME UE S1AP ID」、「eNB UE S1AP ID」、「E-RABs Admitted List」及び「Target to Source Transparent Container」を含む。情報要素「E-RABs Admitted List」は、「E-RABs Admitted Item IEs」を含む。情報要素「E-RABs Admitted Item IEs」は、「E-RAB ID」、「Transport Layer Address」及び「GTP-TEID」を含む。
【００９８】
【表１０】
0005807487.tif 000011
【００９９】
「S1 AP: MMS STATUS TRANSFER」の情報要素を表１１に示す。「S1 AP: MMS STATUS TRANSFER」は、情報要素「Message Type」、「MME UE S1AP ID」、「eNB UE S1AP ID」及び「eNB Status Transfer Transparent Container」を含む。
【０１００】
【表１１】
0005807487.tif 000012
【０１０１】
＜６．３  制御信号の変換処理例＞
続いて、基地局２による制御信号の変換処理の例を説明する。以下の説明において変換後の各制御信号のそれぞれの情報要素の取得元となる情報を示す。上記「６．３  制御信号の変換処理例」で既に説明した基地局２ａによる変換処理については重複説明を省略する。
【０１０２】
＜６．３．１  「X2 AP: HANDOVER REQUEST」から「S1 AP: HANDOVER REQUEST」への変換＞
以下、「S1 AP: HANDOVER REQUEST」の情報要素毎に説明する。
(1) 「MME UE S1AP ID」：「X2 AP: HANDOVER REQUEST」の情報要素「MME UE S1AP ID」。
(2) 「Handover Type」：ハンドオーバ前後のセルの通信方式を示す指定値が指定される。
(3) 「Cause」：「X2 AP: HANDOVER REQUEST」の情報要素「Cause」。
(4) 「UE Aggregate Maximum Bit Rate」：「X2 AP: HANDOVER REQUEST」の情報要素「UE Aggregate Maximum Bit Rate」。
(5) 「E-RAB ID」：「X2 AP: HANDOVER REQUEST」の情報要素「E-RAB ID」。
(6) 「Transport Layer Address」：「S1 AP: INITIAL CONTEXT SETUP REQUEST」にて通知されるパラメータ。
(7) 「GTP-TEID」：「S1 AP: INITIAL CONTEXT SETUP REQUEST」にて通知されるパラメータ。
(8) 「E-RAB Level QoS Parameters」：「X2 AP: HANDOVER REQUEST」の「E-RAB Level QoS Parameters」。
(9) 「Source to Target Transparent Container」：「X2 AP: HANDOVER REQUEST」の情報要素「RRC Context」及び「UE History Information」から抽出される。
(10) 「UE Security Capabilities」：「X2 AP: HANDOVER REQUEST」の「UE Security Capabilities」。
(11) 「Security Context」：「X2 AP: HANDOVER REQUEST」の情報要素「AS Security Information」から抽出される。
【０１０３】
＜６．３．２  「S1 AP: HANDOVER REQUEST ACKNOWLEDGE」から「X2 AP: HANDOVER REQUEST ACKNOWLEDGE」への変換＞
以下、「X2 AP: HANDOVER REQUEST ACKNOWLEDGE」の情報要素毎に説明する。
(1) 「Old eNB UE X2AP ID」：「X2 AP: HANDOVER REQUEST」の情報要素「Old eNB UE X2AP ID」。
(2) 「New eNB UE X2AP ID」：「S1 AP: HANDOVER REQUEST ACKNOWLEDGE」の情報要素「eNB UE S1AP ID」。
(3) 「E-RABs Admitted List」：「S1 AP: HANDOVER REQUEST ACKNOWLEDGE」の情報要素「E-RABs Admitted List」。
(4) 「Target eNB To Source eNB Transparent Container」：「S1 AP: HANDOVER REQUEST ACKNOWLEDGE」の情報要素「Target to Source Transparent Container」から抽出される。
【０１０４】
＜６．３．３  「X2 AP: SN STATUS TRANSFER」から「S1 AP: MMS STATUS TRANSFER」への変換＞
以下、「S1 AP: MMS STATUS TRANSFER」の情報要素毎に説明する。
(1) 「MME UE S1AP ID」：「X2 AP: HANDOVER REQUEST」の「MME UE S1AP ID」。
(2) 「eNB UE S1AP ID」：「X2 AP: SN STATUS TRANSFER」の「Old eNB UE X2AP ID」。
(3) 「eNB Status Transfer Transparent Container」：「X2 AP: SN STATUS TRANSFER」の「E-RABs Subject To Status Transfer List」から抽出される。
【０１０５】
＜７．実施例の効果＞
本実施例によれば、リレーノード５がカバーするセルを移動元セル又は移動先セルとするハンドオーバ処理の一部が、Ｘ２  ＨＯシーケンスに従って実行される。このため、交換局８が行うハンドオーバ処理数が低減され、交換局８の処理負荷が軽減される。
【０１０６】
以上の実施例を含む実施形態に関し、更に以下の付記を開示する。
（付記１）
基地局間コネクションを経由してハンドオーバ制御信号を送受信する第１プロトコルに従って、ハンドオーバ制御信号を送受信する処理と、
交換局装置を経由してハンドオーバ制御信号を送受信する第２プロトコルに従って、ハンドオーバ制御信号を送受信する処理と、
基地局装置に接続する中継局装置との間で送受信される第２プロトコルに従うハンドオーバ制御信号を第１プロトコルに従うハンドオーバ制御信号に変換する処理と、
変換されたハンドオーバ制御信号を第１プロトコルに従って送信する処理と、
を実行する制御部を備えることを特徴とする基地局装置。
【０１０７】
（付記２）
前記制御部は、
前記基地局装置とハンドオーバの移動先のセルをカバーする他の基地局装置との間、又は前記基地局装置と移動先のセルをカバーする中継局装置が接続する他の基地局装置との間に、基地局間コネクションが存在するか否かを判定する処理と、
前記基地局間コネクションが存在する場合に、前記中継局装置との間で送受信されるハンドオーバ制御信号を第１プロトコルに従うハンドオーバ制御信号に変換する処理と、
を実行することを特徴とする付記１に記載の基地局装置。
【０１０８】
（付記３）
前記制御部は、
第１プロトコルに従って受信したハンドオーバ制御信号に係るハンドオーバの移動先セルが、前記中継局装置にカバーされるか否かを判定する処理と、
移動先セルが前記中継局装置にカバーされる場合に、前記中継局装置との間で送受信されるハンドオーバ制御信号を第１プロトコルに従うハンドオーバ制御信号に変換する処理と、
を実行することを特徴とする付記１に記載の基地局装置。
【０１０９】
（付記４）
前記制御部は、前記第２プロトコルに従って前記交換局装置から前記中継局装置へ送信されるパラメータを取得する処理と、
前記中継局装置から受信した前記第２プロトコルに従うハンドオーバ制御信号に前記パラメータを付加することにより、第１プロトコルに従うハンドオーバ制御信号へ変換する処理と、
を実行することを特徴とする付記１〜３のいずれか一項に記載の基地局装置。
【０１１０】
（付記５）
基地局装置が備える制御部に、
基地局間コネクションを経由してハンドオーバ制御信号を送受信する第１プロトコルに従って、ハンドオーバ制御信号を送受信する処理と、
交換局装置を経由してハンドオーバ制御信号を送受信する第２プロトコルに従って、ハンドオーバ制御信号を送受信する処理と、
前記基地局装置に接続する中継局装置との間で送受信される第２プロトコルに従うハンドオーバ制御信号を第１プロトコルに従うハンドオーバ制御信号に変換する処理と、
変換されたハンドオーバ制御信号を第１プロトコルに従って送信する処理と、
を実行させることを特徴とするハンドオーバ制御方法。
【０１１１】
（付記６）
基地局装置が備える制御部に、
基地局間コネクションを経由してハンドオーバ制御信号を送受信する第１プロトコルに従って、ハンドオーバ制御信号を送受信する処理と、
交換局装置を経由してハンドオーバ制御信号を送受信する第２プロトコルに従って、ハンドオーバ制御信号を送受信する処理と、
前記基地局装置に接続する中継局装置との間で送受信される第２プロトコルに従うハンドオーバ制御信号を第１プロトコルに従うハンドオーバ制御信号に変換する処理と、
変換されたハンドオーバ制御信号を第１プロトコルに従って送信する処理と、
を実行させることを特徴とするコンピュータプログラム。
【符号の説明】
【０１１２】
１    通信システム
２、２ａ、２ｂ、３    基地局装置
４、４ａ〜４ｃ    移動局装置
５、５ａ、５ｂ    リレーノード
６    ＩＰネットワーク
８    交換局装置
【図１】
0005807487.tif 000013
【図２】
0005807487.tif 000014
【図３】
0005807487.tif 000015
【図４】
0005807487.tif 000016
【図５】
0005807487.tif 000017
【図６】
0005807487.tif 000018
【図７】
0005807487.tif 000019
【図８】
0005807487.tif 000020
【図９】
0005807487.tif 000021
【図１０】
0005807487.tif 000022